【事件の表示】
　平成１１年特許願第１７６８１６号「電源制御回路および直流電源回路」拒絶査定不服審判事件〔平成１３年　１月１２日出願公開、特開２００１−　　５５４２〕について、次のとおり審決する。
【結　論】
　本件審判の請求は、成り立たない。
【理　由】
１．手続の経緯
　本願は、平成１１年６月２３日の出願であって、平成１６年５月１３日付けで拒絶査定がなされ、これに対し、同年６月１７日に審判請求がなされるとともに、同年７月１２日に手続補正がなされたものである。
　
２．平成１６年７月１２日付け手続補正についての補正却下の決定
［補正却下の決定の結論］
　　平成１６年７月１２日付け手続補正を却下する。
［理由］
（１）補正後の請求項１に記載された発明
　　本件補正により、特許請求の範囲の請求項１は、次のとおりに補正された。
　「ＩＣとして構成され、
　外部直流電源が当該ＩＣの外部に設けられた降圧用トランジスタを介して接続される入力端子と、
　この入力端子の電圧を検出する電圧検出回路と、
　基準電圧を生成する基準電圧発生回路と、
　前記電圧検出回路で検出された検出信号と前記基準電圧とを比較する比較回路と、
　この比較回路からの比較信号に応じて前記降圧用トランジスタの駆動信号を生成する駆動回路とを備え、
　前記電圧検出回路は、複数の分圧点を形成するように直列に接続された複数の抵抗と、
　前記複数の分圧点のそれぞれを前記比較回路の入力端子に接続するための複数のスイッチ回路からなる抵抗分圧回路として構成され、
　前記入力端子の電圧を所定電圧とするために用いられる分圧点の選択データが重複して記憶される記憶回路と、
　この記憶回路に重複して記憶された前記分圧点の選択データを読み出して多数決処理し、その処理結果に対応したスイッチ回路をオンさせる分圧制御回路とを設けて構成し、
　
前記ＩＣには、前記入力端子に生成される電圧により動作するディジタル回路またはアナログ回路が形成されている
　
　上記補正は、請求項１に記載した発明を特定するために必要な事項である「ＩＣには、前記入力端子に生成される電圧により動作するディジタル回路またはアナログ回路が形成されている」との限定を付加するものであって、特許法１７条の２第４項第２号の特許請求の範囲の減縮を目的とするものに該当する。
　そこで、本件補正後の請求項１に記載された発明（以下、「本願補正発明」という。）が特許出願の際に独立して特許を受けることができるものであるか（特許法１７条の２第５項において準用する同法第１２６条第５項の規定に適合するか）について以下に検討する。
　
（２）引用例
　原査定の拒絶の理由に引用された特開平５−９４２２２号公報（平成５年４月１６日公開、以下、「引用例」という。）には、「定電圧制御回路内蔵ＩＣ」に関する発明が開示されており、そこには、図面とともに次の記載がある。
　「【０００１】
【産業上の利用分野】この発明は、定電圧制御回路内蔵ＩＣに関し、詳しくは、定電圧回路の一部分を内蔵して、供給電圧がＩＣ内素子の耐電圧を越える環境での使用にも適するＩＣの構成に関する。
【０００２】
【従来の技術】軽薄短小の流れに乗って、装置の小形化に対する要求は留まるところを知らない。そして、その要求に答えるべく、最近のＩＣにおける微細化も留まるところを知らない。その結果、データ処理回路、信号処理回路等の回路は、かなり複雑なものまで１チップのＩＣにまとめて集積されるようになり、例えば、ビデオテープレコーダの録再ヘッド周りの信号処理回路等が、この部分に関しては全て、１つのＩＣに集積可能となってきている。」、
　「【００１５】電流制御回路１は、従来例で述べた駆動回路への供給電力のレギュレーションされていない電圧あるいはそれに相当する電圧ＵＮＲＥＧ（＋）（又はＵＮＲＥＧ（−））の電力を入力電圧Ｕの電力として受け、入力電圧Ｕの電力からの電流をトランジスタＴｒ１（又はＴｒ５）等の制御素子を用いて降圧しながら平滑コンデンサＣ１（又はＣ３）へ供給して出力電圧Ｖの電力を発生し、端子１０１を介してＩＣ１００へ出力する。なお、このとき、フィードバックされた制御信号Ｄを、端子１０２からトランジスタＴｒ１（又はＴｒ５）のベースに受け、この制御信号Ｄに従って前記の電流量を加減して出力電圧Ｖを制御する。この電流制御回路１は、ＩＣ１００の耐電圧を越える供給電力の電圧ＵＮＲＥＧ（＋）（又はＵＮＲＥＧ（−））を直接受けるので、ＩＣ１００の外部に構成されている。
【００１６】電圧検出回路２は、出力電圧Ｖを受け、抵抗Ｒ１、Ｒ２（又はＲ４、Ｒ５）を用いた抵抗分圧により、出力電圧Ｖに従う波形の検出信号Ａを発生する。基準電圧発生回路３は、特性の安定したバンドギャップ定電圧源Ｅ１（又はＥ２）を用いて構成され、出力電圧Ｖの制御目標値を定める基準電圧信号Ｒを発生する。さらに、基準電圧信号Ｒは、端子１０３に接続されている外部のコンデンサＣ２（又はＣ１）によって、一層平滑されて安定する。
【００１７】誤差増幅回路６は、トランジスタＴｒ３、Ｔｒ４等（又はＴｒ７、Ｔｒ８等）からなる差動回路４とトランジスタＴｒ２等（又はＴｒ６等）からなる増幅回路５とから構成され、検出信号Ａと基準電圧信号Ｒとを受け、先ず差動回路４が検出信号Ａと基準電圧信号Ｒとの差電圧をとって誤差信号Ｂを生成し、それを受けた増幅回路５が誤差信号Ｂを電流制御回路１のトランジスタＴｒ１（又はＴｒ５）駆動に適した電流信号Ｉ１（又はＩ２）に変換しつつ増幅し、端子１０２を介して、それを制御信号Ｄとして電流制御回路１へフィードバックする。この時、端子１０２に掛かる電圧は、出力電圧ＶにトランジスタＴｒ１（又はＴｒ５）のベースエミッタ間電圧（約０．６Ｖ程度）を加えた電圧であり、トランジスタＴｒ２（又はＴｒ６）に掛かる電圧は、電流信号Ｉ１（又はＩ２）による抵抗での電圧降下分だけ、さらに小さいので、トランジスタＴｒ２（又はＴｒ６）の耐電圧以下である。」
　
　これらの記載によると、引用例には、「ＩＣとして構成され、外部直流電源（ＵＮＲＥＧ（＋）（又はＵＮＲＥＧ（−）））が当該ＩＣの外部に設けられたトランジスタを介して接続される端子１０１と、この端子１０１の電圧を検出する電圧検出回路２と、基準電圧を発生する基準電圧発生回路３と、電圧検出回路２で検出された検出信号と基準電圧信号との差電圧をとって誤差信号を生成する差動回路４と、この差動回路からの誤差信号を受け誤差信号を電流制御回路のトランジスタ駆動に適した電流信号に変換しつつ増幅し、端子１０２を介して、それを制御信号として電流制御回路へフィードバックする増幅回路５とを備え、前記電圧検出回路２は、ふたつの抵抗を用いた抵抗分圧回路として構成され、前記ＩＣには、端子１０１に入力される電圧により動作するデータ処理回路、信号処理回路等が形成されている定電圧制御回路。」の発明（以下、「引用例記載の発明」という。）が記載されていると認められる。
　
（３） 対比
　本願補正発明と引用例記載の発明を対比すると、引用例記載の発明における「トランジスタ」、「端子１０１」、「定電圧制御回路」、「データ処理回路、信号処理回路等」はそれぞれ、本願補正発明における「降圧用トランジスタ」、「入力端子」、「電源制御回路」、「ディジタル回路またはアナログ回路」に相当するものであり、また、後者における「差動回路」は、検出信号と基準信号との差電圧をとることにより、両信号を比較しているといえるから、前者における「比較回路」に相当し、後者における「増幅回路」は、差動回路からの誤差信号に応じてトランジスタの制御信号を生成しているので、前者における「駆動回路」に相当するから、両者は、「ＩＣとして構成され、外部直流電源が当該ＩＣの外部に設けられた降圧用トランジスタを介して接続される入力端子と、この入力端子の電圧を検出する電圧検出回路と、基準電圧を生成する基準電圧発生回路と、前記電圧検出回路で検出された検出信号と前記基準電圧とを比較する比較回路と、この比較回路からの比較信号に応じて前記降圧用トランジスタの駆動信号を生成する駆動回路とを備え、前記ＩＣには、前記入力端子に生成される電圧により動作するディジタル回路またはアナログ回路が形成されている電源制御回路」である点で一致し、次の点において相違する。
　
［相違点］
　電圧検出回路ついて、本願補正発明においては、「複数の分圧点を形成するように直列に接続された複数の抵抗と、前記複数の分圧点のそれぞれを前記比較回路の入力端子に接続するための複数のスイッチ回路からなる抵抗分圧回路として構成され、前記入力端子の電圧を所定電圧とするために用いられる分圧点の選択データが重複して記憶される記憶回路と、この記憶回路に重複して記憶された前記分圧点の選択データを読み出して多数決処理し、その処理結果に対応したスイッチ回路をオンさせる分圧制御回路とを設けて構成」されているのに対して、引用例記載の発明においては、ふたつの抵抗を用いた抵抗分圧回路として構成されている点。
　
（４）判断
　電圧検出回路を、複数の分圧点を形成するように直列に接続された複数の抵抗と、前記複数の分圧点のそれぞれを前記比較回路の入力端子に接続するための複数のスイッチ回路からなる抵抗分圧回路と、前記入力端子の電圧を所定電圧とするために用いられる分圧点の選択データが記憶される記憶回路と、この記憶回路に記憶された前記分圧点の選択データを読み出して対応したスイッチ回路をオンさせる分圧制御回路とを設けて構成することは、本願明細書にも特開平９−３３０１３５号公報に開示された従来例として記載されており、また、原審における拒絶理由通知においても指摘されているように、電源制御回路に関する技術分野において、周知の構成でもあるので（例えば、原審の拒絶理由通知において提示された特開平３−１１３６１７号公報参照）、引用例記載の発明において、該構成を採用することが、当業者にとって格別なことであるとは認められない。また、入力端子の電圧を所定電圧とするために用いられる分圧点の選択データを重複して記憶させ、重複して記憶された分圧点の選択データを読み出して多数決処理し、その処理結果に対応したスイッチ回路をオンさせるようにした点について、拒絶査定において指摘されているように、記憶回路に関する分野において、読み出しデータの信頼性を高めるために、データを重複して記憶しておき、データを読み出す際、多数決処理してデータを得ることは、周知の技術にすぎず（例えば、拒絶査定時に提示された特開平１０−１４４０９３号公報参照）、上記のような記憶回路に記憶されたデータに基づいて分圧点を切り換える電圧検出回路を採用するに際して、単に分圧点の選択データを記憶し、これを読み出してスイッチ回路をオンする代わりに、分圧点の選択データを重複して記憶させ、重複して記憶させた分圧点の選択データを読み出して多数決処理し、その処理結果に対応したスイッチ回路をオンさせるようにする程度のことは、当業者にとって適宜選択しうる事項にすぎない。
　そして、本願補正発明の構成によってもたらされる効果も、引用例に記載された事項、及び周知技術から当業者が予測し得る程度のものである。
　したがって、本願補正発明は、引用例に記載された発明、及び、周知技術に基づいて、当業者が容易に発明をすることができたものであるから、特許法第２９条第２項の規定により特許出願の際に独立して特許を受けることができない。
　
（５）むすび
　以上のとおり、本件補正は、特許法１７条の２第５項で準用する同法第１２６条第５項の規定に違反するものであり、特許法第１５９条第１項で読み替えて準用する特許法第５３条第１項の規定により却下すべきものである。
　
３．本願発明について
（１）本願発明
　平成１６年７月１２日付けの手続補正は上記のとおり却下されたので、本願の請求項１に係る発明（以下、「本願発明」という。）は平成１６年２月１３日付け手続補正書の特許請求の範囲の請求項１に記載された次のとおりのものである。
　　「ＩＣとして構成され、
　外部直流電源が当該ＩＣの外部に設けられた降圧用トランジスタを介して接続される入力端子と、
　この入力端子の電圧を検出する電圧検出回路と、
　基準電圧を生成する基準電圧発生回路と、
　前記電圧検出回路で検出された検出信号と前記基準電圧とを比較する比較回路と、
　この比較回路からの比較信号に応じて前記降圧用トランジスタの駆動信号を生成する駆動回路とを備え、
　前記電圧検出回路は、複数の分圧点を形成するように直列に接続された複数の抵抗と、
　前記複数の分圧点のそれぞれを前記比較回路の入力端子に接続するための複数のスイッチ回路とからなる抵抗分圧回路として構成され、
　前記入力端子の電圧を所定電圧とするために用いられる分圧点の選択データが重複して記憶される記憶回路と、
　この記憶回路に重複して記憶された前記分圧点の選択データを読み出して多数決処理し、その処理結果に対応したスイッチ回路をオンさせる分圧制御回路とを設けて構成したことを特徴とする電源制御回路。」
　
（２）引用例
　原査定の拒絶の理由に引用した引用例、及びその記載事項は前記「２．（２）」に記載したとおりである。
　
（３）対比・判断
　本願発明は、前記２．で検討した本願補正発明から「ＩＣには、前記入力端子に生成される電圧により動作するディジタル回路またはアナログ回路が形成されている」との限定を省いたものである。
　そうすると、本願発明の構成要件をすべて含み、さらに他の構成要件を付加したものに相当する本願補正発明が、前記「２．（４）」に記載したとおり、引用例に記載された発明、及び、周知技術に基づいて、当業者が容易に発明をすることができたものであるから、本願発明も、同様の理由により、引用例に記載された発明、及び、周知技術に基づいて、当業者が容易に発明をすることができたものである。
　
（４）むすび
　以上のとおり、本願発明は、引用例に記載された発明、及び、周知技術に基づいて、当業者が容易に発明をすることができたものであるから、特許法第２９条第２項の規定により特許を受けることができない。
　よって、結論のとおり審決する。